(57)【要約】【課題】  健康管理支援サービス等を提供する複数のサービスプロバイダがデータ収集のための共通のインフラとして使用することができるとともに、個人情報のセキュリティを高めることのできるバイタルデータ収集装置およびバイタルデータ収集システムを提供することを目的とする。【解決手段】  サービス利用を識別するデータとともにバイタルデータをネットワーク経由で受信する手段と、上記サービス利用を識別するデータに基づき対応するサービスプロバイダに受信したデータを振り分ける手段とを備える。また、利用制限の指定があるサービス利用にかかるデータを受信した場合、利用者に対して確認を求め、承諾を得られた場合にのみ上記サービスプロバイダに受信したデータを振り分ける。【選択図】  図１
2006048404.tif 000002
【特許請求の範囲】
【請求項１】
サービス利用を識別するデータとともにバイタルデータをネットワーク経由で受信する手段と、
上記サービス利用を識別するデータに基づき対応するサービスプロバイダに受信したデータを振り分ける手段とを備えたことを特徴とするバイタルデータ収集装置。
【請求項２】
利用制限の指定があるサービス利用にかかるデータを受信した場合、利用者に対して確認を求め、承諾を得られた場合にのみ上記サービスプロバイダに受信したデータを振り分けることを特徴とする請求項１に記載のバイタルデータ収集装置。
【請求項３】
上記サービス利用を識別するデータを予め登録したＩＤ管理データベースを備え、データ受信時に上記ＩＤ管理データベースを参照することで対応するサービスプロバイダを特定することを特徴とする請求項１または２のいずれか一項に記載のバイタルデータ収集装置。
【請求項４】
上記サービスプロバイダ毎の格納領域に受信したデータを蓄積し、蓄積したデータを上記サービスプロバイダに向けて送信することを特徴とする請求項１乃至３のいずれか一項に記載のバイタルデータ収集装置。
【請求項５】
上記サービスプロバイダ毎の格納領域に受信したデータを蓄積し、上記サービスプロバイダから蓄積したデータにアクセス可能にすることを特徴とする請求項１乃至３のいずれか一項に記載のバイタルデータ収集装置。
【請求項６】
上記利用制限の指定にかかる情報を予め登録した利用制限管理データベースを備え、データ受信時に上記利用制限管理データベースを参照することで利用制限の有無を判断することを特徴とする請求項２乃至５のいずれか一項に記載のバイタルデータ収集装置。
【請求項７】
メールもしくは電話により上記利用者に対して確認を求めることを特徴とする請求項２乃至６のいずれか一項に記載のバイタルデータ収集装置。
【請求項８】
利用者のバイタルデータを取得する測定器と、
上記測定器からバイタルデータを受信し、サービス利用を識別するデータとともに転送する端末と、
上記端末からデータを受信し、上記サービス利用を識別するデータに基づき対応するサービスプロバイダに受信したデータを振り分けるデータセンタとを備えたことを特徴とするバイタルデータ収集システム。
【請求項９】
上記データセンタは、利用制限の指定があるサービス利用にかかるデータを受信した場合、利用者に対して確認を求め、承諾を得られた場合にのみ上記サービスプロバイダに受信したデータを振り分けることを特徴とする請求項８に記載のバイタルデータ収集システム。
【請求項１０】
上記測定器と上記端末との間のデータ通信を媒介する転送装置を備えたことを特徴とする請求項８または９のいずれか一項に記載のバイタルデータ収集システム。
【発明の詳細な説明】
【技術分野】
【０００１】
本発明は、個人利用者の体重、血圧、体温等のバイタルデータを携帯電話等の端末を使用して収集するバイタルデータ収集装置およびバイタルデータ収集システムに関する。
【背景技術】
【０００２】
個人の健康管理の支援を目的とした事業が一部の自治体や企業により進められており、測定器を利用者に配布し、バイタルデータを収集した上で、専門家による適切なアドバイスを行う等のサービスが提供されている。
【０００３】
一方、特許文献１には、トイレの便器に設置される衛生洗浄装置に組み込まれた生体情報測定装置で測定したデータを携帯電話を介してサーバ装置へ送信し、健康アドバイス情報をサーバ装置から携帯電話に送信するという健康管理支援システムが開示されている。
【特許文献１】特開２００４−１３５０８号公報
【発明の開示】
【発明が解決しようとする課題】
【０００４】
ところで、上記の特許文献１に開示された健康管理支援システムは、単一の事業者が運営するクローズなシステムを前提としている。従って、同様なサービスを複数の事業者が行うためには、個々にシステムを立ち上げなければならず、インフラ整備のためのコストが膨大になるという問題があった。
【０００５】
また、この種のサービスは対象とする疾患や使用する測定器等によって事業者の守備範囲や得意分野が異なるため、同種のサービスであっても細分化されて異なる事業者によって運営される場合が多く、利用者が同時に複数のサービスを受ける可能性も高い。そのため、事業者毎にデータ送信のための操作方法が異なることとなり、利用者としても不便であるという問題があった。
【０００６】
一方、上記の問題を解決するためにデータ収集のみを行う第三者的な共通のデータセンタを設けることが考えられるが、利用者のプライバシーにかかわる重要な個人情報であるバイタルデータを大量に扱うこととなることから、その適切な保護を図る必要がある。また、バイタルデータを送信した後に撤回したい場合もあることから、そのような要望に適切に応える必要もある。
【０００７】
本発明は上記の従来の問題点に鑑み提案されたものであり、その目的とするところは、健康管理支援サービス等を提供する複数のサービスプロバイダがデータ収集のための共通のインフラとして使用することができるとともに、個人情報のセキュリティを高めることのできるバイタルデータ収集装置およびバイタルデータ収集システムを提供することにある。
【課題を解決するための手段】
【０００８】
上記の課題を解決するため、本発明にあっては、請求項１に記載されるように、サービス利用を識別するデータとともにバイタルデータをネットワーク経由で受信する手段と、上記サービス利用を識別するデータに基づき対応するサービスプロバイダに受信したデータを振り分ける手段とを備えるようにしている。
【０００９】
また、請求項２に記載されるように、利用制限の指定があるサービス利用にかかるデータを受信した場合、利用者に対して確認を求め、承諾を得られた場合にのみ上記サービスプロバイダに受信したデータを振り分けるようにすることができる。
【００１０】
また、請求項３に記載されるように、上記サービス利用を識別するデータを予め登録したＩＤ管理データベースを備え、データ受信時に上記ＩＤ管理データベースを参照することで対応するサービスプロバイダを特定するようにすることができる。
【００１１】
また、請求項４に記載されるように、上記サービスプロバイダ毎の格納領域に受信したデータを蓄積し、蓄積したデータを上記サービスプロバイダに向けて送信するようにすることができる。
【００１２】
また、請求項５に記載されるように、上記サービスプロバイダ毎の格納領域に受信したデータを蓄積し、上記サービスプロバイダから蓄積したデータにアクセス可能にするようにすることができる。
【００１３】
また、請求項６に記載されるように、上記利用制限の指定にかかる情報を予め登録した利用制限管理データベースを備え、データ受信時に上記利用制限管理データベースを参照することで利用制限の有無を判断するようにすることができる。
【００１４】
また、請求項７に記載されるように、メールもしくは電話により上記利用者に対して確認を求めるようにすることができる。
【００１５】
また、請求項８に記載されるように、利用者のバイタルデータを取得する測定器と、上記測定器からバイタルデータを受信し、サービス利用を識別するデータとともに転送する端末と、上記端末からデータを受信し、上記サービス利用を識別するデータに基づき対応するサービスプロバイダに受信したデータを振り分けるデータセンタとを備えるバイタルデータ収集システムとして構成することができる。
【００１６】
また、請求項９に記載されるように、上記データセンタは、利用制限の指定があるサービス利用にかかるデータを受信した場合、利用者に対して確認を求め、承諾を得られた場合にのみ上記サービスプロバイダに受信したデータを振り分けるようにすることができる。
【００１７】
また、請求項１０に記載されるように、上記測定器と上記端末との間のデータ通信を媒介する転送装置を備えるようにすることができる。
【発明の効果】
【００１８】
本発明のバイタルデータ収集装置およびバイタルデータ収集システムにあっては、健康管理支援サービス等を提供する複数のサービスプロバイダがデータ収集のための共通のインフラとして使用することができるとともに、個人情報のセキュリティを高めることができる。
【発明を実施するための最良の形態】
【００１９】
以下、本発明の好適な実施形態につき、図面を参照して説明する。
【００２０】
図１は本発明の一実施形態にかかるバイタルデータ収集システムの構成図である。図１において、バイタルデータ収集システムは、利用者によって操作される測定器１１〜１５と、必要に応じて測定器１１に接続される転送装置２と、測定値（バイタルデータ）および利用者を識別するＩＤの送信を行う端末３１〜３５と、端末３１〜３４との接続を行う無線ネットワーク４と、無線ネットワーク４と接続されるとともに、端末３５との接続を行うインターネットのごときネットワーク５と、ネットワーク５を介して受信した測定値を蓄積し、ＩＤに基づいてデータの振り分けを行って対応するサービスプロバイダのコンテンツサーバ７１〜７３に送信するデータセンタ６とから構成されている。
【００２１】
測定器１１〜１５としては、例えば、体重計、血圧計、体温計、脈拍計、体脂肪計、血糖値計、歩数計、肌センサ、肌スコープ、拡大スコープ、フィットネス機器、バイタルセンサ機器、バイタルチップ等がある。測定器１１〜１５は測定値（数値データ、映像データ等）を外部に出力できるものであり、測定器１１、１３〜１５はケーブル接続により測定値が転送可能なタイプを示し、測定器１２は赤外線（Irda等）、近距離無線（Bluetooth等）等により測定値が転送可能なタイプを示している。なお、測定器１１〜１５は固有のＩＤを測定値と同時に出力するものとすることができ、その場合は利用者を識別するＩＤとして使用することができる。
【００２２】
転送装置２はケーブル接続により測定値が転送可能なタイプの測定器１１と接続し、測定値を赤外線、近距離無線等により端末３１に転送するものである。なお、転送装置２は固有のＩＤを測定値と同時に出力するものとすることができ、その場合は利用者を識別するＩＤとして使用することができる。
【００２３】
端末３１、３２は、赤外線、近距離無線等の受信機能を備えた携帯電話、ＰＨＳ（Personal Handyphone System）等を示し、端末３３はデータ入力端子を備えた携帯電話、ＰＨＳ等を示し、端末３４はデータ入力端子および無線通信機能を備えたＰＤＡ（Personal Digital Assistant）等を示している。また、端末３５はデータ入力端子およびネットワーク接続機能を備えたパーソナルコンピュータ等を示している。
【００２４】
データセンタ６は、ネットワーク５を介して測定値およびＩＤを受信する受信サーバ６１と、測定値を蓄積する測定値管理データベース６２１、利用者のＩＤを管理するＩＤ管理データベース６２２および利用制限（利用者からデータセンタ６に送信した測定値を利用者の確認を得ない限りサービスプロバイダに送信しないことを指定するオプション）を申し込んだ利用者の情報を管理する利用制限管理データベース６２３を有し、受信サーバ６１で受信した測定値をＩＤに基づいて対応するサービスプロバイダ（ＳＰ）に振り分けるデータ蓄積・振分サーバ６２と、サービスプロバイダ毎の格納領域６３１〜６３３を有するサービスプロバイダ別格納サーバ６３と、サービスプロバイダ別格納サーバ６３に格納された測定値およびＩＤを対応するサービスプロバイダのコンテンツサーバ７１〜７３に専用線等を介して送信する送信サーバ６４とを備えている。なお、送信サーバ６４を設けず、サービスプロバイダ別格納サーバ６３に対して各サービスプロバイダからアクセスするようにしてもよい。
【００２５】
各サービスプロバイダは、データセンタ６から自己のコンテンツサーバ７１〜７３に送信された測定値およびＩＤに基づき、健康管理支援等のコンテンツを作成し、必要に応じてネットワーク５、無線ネットワーク４を介して利用者の端末３１〜３５に送信する機能を有している。
【００２６】
図２はバイタルデータ収集システムの適用例を示す図であり、自治体が住民の健康管理を目的に体重計等の測定器１および転送装置２を支給し、測定値を収集して健康指導を行うケースを想定している。
【００２７】
図２において、先ず、自治体は測定器１および転送装置２を住民である利用者に支給する（ステップＳ１）。これと並行し、自治体では、転送装置２のＩＤを利用者と対応付けて自治体のコンテンツサーバ７に登録する（ステップＳ２）。
【００２８】
次いで、自治体のコンテンツサーバ７からデータセンタ６に対して転送装置２のＩＤを送信し（ステップＳ３）、データセンタ６では受信したＩＤをデータ蓄積・振分サーバ６２のＩＤ管理データベース６２２に登録する（ステップＳ４）。なお、ＩＤは自治体のコンテンツサーバ７内における利用者との対応関係の情報がなければ具体的な利用者を特定することはできないため、第三者機関の運営するデータセンタ６に保管されていても個人情報保護の観点から問題はない。
【００２９】
一方、利用者は自宅等において測定器１により測定を行う（ステップＳ５）。この際、複数人分の測定結果を蓄積する機能がある場合には、予め自己に対応するボタン等を押下する。
【００３０】
次いで、測定器１を転送装置２に接続し、端末３のデータ収集・送信用のアプリ（予めデータセンタ６からダウンロード）を起動し、測定器１から転送装置２を経由して端末３に測定値を送信する（ステップＳ６）。この際、測定器１を示すＩＤが含まれている場合、転送装置２を示すＩＤに変換される。なお、測定器１と転送装置２の間はケーブル等により接続され、転送装置２と端末３の間は赤外線、近距離無線等により接続される。
【００３１】
次いで、端末３の所定の操作を経て、端末３から無線ネットワーク４に向けて無線回線を介して測定値、ＩＤ、日時、個人識別番号等のデータを送信し（ステップＳ７）、送信されたデータはネットワーク５を介してデータセンタ６に到達する。
【００３２】
データセンタ６では、受信サーバ６１がデータを受信した後、データ蓄積・振分サーバ６２において受信データに含まれるＩＤをＩＤ管理データベース６２２に登録されたＩＤと照合することで対応するサービスプロバイダ（この例では自治体）を特定し、サービスプロバイダ別格納サーバ６３の対応する格納領域６３１に転送する（ステップＳ８）。なお、データセンタ６内に蓄積されるデータは利用者の測定値とＩＤを含むものではあるが、自治体のコンテンツサーバ７内における利用者との対応関係の情報がなければ具体的な利用者を特定することはできないため、個人情報保護の観点から問題はない。
【００３３】
次いで、データセンタ６の送信サーバ６４はサービスプロバイダ別格納サーバ６３に格納されたデータを専用線を介して自治体のコンテンツサーバ７に転送する（ステップＳ９）。
【００３４】
自治体では、コンテンツサーバ７に転送されたデータに基づいて健康管理支援等のコンテンツを作成し（ステップＳ１０）、利用者に対して健康指導を行う（ステップＳ１１）。
【００３５】
次に、図３はバイタルデータ収集システムの他の適用例を示す図であり、体重計等の測定器メーカがダイエット支援サービス等を付加した測定器１を販売し、測定値を収集してダイエット指導等を行うケースを想定している。
【００３６】
図３において、先ず、利用者は量販店等において測定器１を購入する（ステップＳ２１）。
【００３７】
次いで、利用者は、測定器１の説明書等の記載に従い、自己の所有する携帯電話等の端末３から専用のインターネットホームページサイトにアクセスし、サービス利用の登録を行う（ステップＳ２２）。この際、正規購入者であることを示すために測定器１に割り振られたＩＤの入力を行うことになるが、誤入力を避けるとともに操作を簡略化するため、説明書等に付されたＱＲコード等の２次元コードを端末３のカメラ機能を使って入力することができる（ステップＳ２３）。これらのデータはサービスプロバイダのコンテンツサーバ７に登録される。
【００３８】
次いで、サービスプロバイダのコンテンツサーバ７からデータセンタ６に対して利用者を識別するＩＤを送信し（ステップＳ２４）、データセンタ６では受信したＩＤをデータ蓄積・振分サーバ６２のＩＤ管理データベース６２２に登録する（ステップＳ２５）。なお、ＩＤはサービスプロバイダのコンテンツサーバ７内における利用者との対応関係の情報がなければ具体的な利用者を特定することはできないため、第三者機関の運営するデータセンタ６に保管されていても個人情報保護の観点から問題はない。
【００３９】
一方、利用者は自宅等において測定器１により測定を行う（ステップＳ２６）。この際、複数人分の測定結果を蓄積する機能がある場合には、予め自己に対応するボタン等を押下する。
【００４０】
次いで、端末３のデータ収集・送信用のアプリ（予めデータセンタ６からダウンロード）を起動し、測定器１から端末３に赤外線、近距離無線等を介して測定値を送信する（ステップＳ２７）。
【００４１】
次いで、端末３の所定の操作を経て、端末３から無線ネットワーク４に向けて無線回線を介して測定値、ＩＤ、日時、個人識別番号等のデータを送信し（ステップＳ２８）、送信されたデータはネットワーク５を介してデータセンタ６に到達する。なお、ＩＤについては、端末３のデータ収集・送信用のアプリのダウンロード時に予め利用者を識別するＩＤを含ませておき、自動的に送信するようにすることができる。
【００４２】
データセンタ６では、受信サーバ６１がデータを受信した後、データ蓄積・振分サーバ６２において受信データに含まれるＩＤをＩＤ管理データベース６２２に登録されたＩＤと照合することで対応するサービスプロバイダを特定し、サービスプロバイダ別格納サーバ６３の対応する格納領域６３１に転送する（ステップＳ２９）。なお、データセンタ６内に蓄積されるデータは利用者の測定値とＩＤを含むものではあるが、サービスプロバイダのコンテンツサーバ７内における利用者との対応関係の情報がなければ具体的な利用者を特定することはできないため、個人情報保護の観点から問題はない。
【００４３】
次いで、データセンタ６の送信サーバ６４はサービスプロバイダ別格納サーバ６３に格納されたデータを専用線を介してサービスプロバイダのコンテンツサーバ７に転送する（ステップＳ３０）。
【００４４】
サービスプロバイダでは、コンテンツサーバ７に転送されたデータに基づいてダイエット支援等のコンテンツを作成し（ステップＳ３１）、利用者の端末３に対して送信し（ステップＳ３２）、利用者はコンテンツを参照してダイエット等の推進に役立てる（ステップＳ３３）。
【００４５】
次に、図４はバイタルデータ収集システムの更に他の適用例を示す図であり、リハビリテーションによる回復状況を知る目的で、医師や理学療法士（以下、「医師等」という。）から患者である利用者にカメラ等の測定器１を貸与し、測定値（映像データ）を収集して診断を行うケースを想定している。
【００４６】
図４において、先ず、医師等からカメラ等の測定器１を貸与し（ステップＳ４１）、併せてデータセンタ６に対してＩＤの登録を行う（ステップＳ４２）。なお、予め適当な数のＩＤをデータセンタ６に登録しておき、利用者との対応付けを事後的に医師等の側において行うようにしてもよい。
【００４７】
次いで、利用者は自宅や介護施設等においてリハビリテーションのプログラム実施状況を測定器１で撮影する（ステップＳ４３）。そして、測定器１を端末３に接続し、データ収集・送信用のアプリ（予めデータセンタ６からダウンロード）を起動し、撮影した映像を端末３に転送する（ステップＳ４４）。
【００４８】
次いで、端末３において撮影した映像を確認した後（ステップＳ４５）、所定の操作を経て端末３から無線ネットワーク４に向けて無線回線を介して測定値、ＩＤ（患者番号）、日時等のデータを送信し（ステップＳ４６）、送信されたデータはデータセンタ６に到達する。
【００４９】
データセンタ６では、受信サーバ６１がデータを受信した後、データ蓄積・振分サーバ６２において受信データに含まれるＩＤをＩＤ管理データベース６２２に登録されたＩＤと照合することで対応するサービスプロバイダ（この例では医師等）を特定し、サービスプロバイダ別格納サーバ６３の対応する格納領域６３１に転送する（ステップＳ４７）。なお、データセンタ６内に蓄積されるデータは利用者の測定値とＩＤを含むものではあるが、医師等の管理する利用者との対応関係の情報がなければ具体的な利用者を特定することはできないため、個人情報保護の観点から問題はない。
【００５０】
次いで、データセンタ６の送信サーバ６４はサービスプロバイダ別格納サーバ６３に格納されたデータをネットワーク８を介して医師等のパーソナルコンピュータ等に転送する（ステップＳ４８）。そして、医師等は取得した患部の映像等に基づいて診断を行う（ステップＳ４９）。
【００５１】
次に、図５は利用者のＩＤをデータセンタ６で決定する場合の処理概要を示すシーケンス図であり、購入した測定器１に基づくサービス利用の申込時に利用制限を付した場合の処理も含んでいる。ここで、利用制限とは、利用者からデータセンタ６に送信した測定値を利用者の確認を得ない限りサービスプロバイダに送信しないことを指定するものである。
【００５２】
図５において、医療機器メーカは携帯電話等の端末３と通信可能な測定器１を製造し（ステップＳ５１）、量販店が販売を行う（ステップＳ５２）。
【００５３】
利用者は測定器１を購入し（ステップＳ５３）、サービスプロバイダに対して利用の申し込みを行う（ステップＳ５４）。この際、利用制限を申し込む場合には自己への連絡先としてのメールアドレス、電話番号を併せて通知する。連絡を容易にする観点から、申し込んだ端末３のアドレス、電話番号が望ましい。なお、利用制限の申し込みはこの時点に限らず後に行うことも可能であり、利用制限を後に撤回することも可能である。
【００５４】
次いで、サービスプロバイダは利用の承諾とともにバイタルデータ通信用のアプリをダウンロードするためのデータセンタ６内の個別のＵＲＬ（Uniform Resource Locator ）を通知する（ステップＳ５５）。
【００５５】
データセンタ６では利用者のＩＤを決定し（ステップＳ５６）、利用者は利用者ＩＤが付加されたバイタルデータ通信用のアプリをデータセンタ６からダウンロードする（ステップＳ５７）。データセンタ６はサービスプロバイダに対しても利用者ＩＤを送信する（ステップＳ５８）。なお、データセンタ６内では利用者ＩＤは単なるデータであるが、サービスプロバイダ内では利用者を特定する情報と関連付けて管理される。
【００５６】
次いで、サービスプロバイダは利用者に対して利用制限事項閲覧確認のためのＩＤとパスワード（ＰＷ）を通知する（ステップＳ５９）。この通知はメールの他、郵送により行ってもよい。サービスプロバイダはデータセンタ６に対してもＩＤとパスワードを通知する（ステップＳ６０）。
【００５７】
その後、利用者が測定器１による測定を行い、バイタルデータと利用者ＩＤをデータセンタ６に送信すると（ステップＳ６１）、データセンタ６では利用者から送られたＩＤとサービスプロバイダから送られてきているＩＤとを突き合わせ、利用制限を申し込んだ利用者である場合には確認のメールを作成し（ステップＳ６２）、確認用のページへのＵＲＬを含んだメールを送付する（ステップＳ６３）。
【００５８】
利用者は受信したメールのＵＲＬから確認用のページにアクセスし、既にサービスプロバイダから通知されたＩＤとパスワードによって本人認証を行った後、測定値の内容を確認し、問題がなければ承諾を行う（ステップＳ６４）。
【００５９】
データセンタ６では利用制限を申し込んでいる利用者からの承諾が得られた場合、該当するバイタルデータ等を対応するサービスプロバイダに送信し（ステップＳ６５）、サービスプロバイダは受け取ったバイタルデータ等に基づく健康サービス等を提供する（ステップＳ６６）。
【００６０】
次に、図６〜図１２は利用者側でＩＤを登録しサービス提供を受ける場合の各部の処理を示すフローチャートであり、図６は利用者の準備の処理を示すフローチャート、図７はデータセンタにおける事前登録の処理を示すフローチャート、図８および図９はデータセンタにおける処理を示すフローチャート、図１０は測定器における処理を示すフローチャート、図１１は転送装置における処理を示すフローチャート、図１２は端末における処理を示すフローチャートである。
【００６１】
先ず、図６において、利用制限を申し込まない場合は（ａ）に示すように、利用者は量販店等で測定器１を購入し（ステップＳ１０１）、測定器１に同梱された説明書に従って端末３からサービスプロバイダのホームページを開き、住所、氏名等を登録し（ステップＳ１０２）、測定器のＩＤについては説明書に付されたＱＲコード等の２次元コードを端末３の読取機能を使って入力する（ステップＳ１０３）。なお、匿名で申し込む場合には住所、氏名に代えてメールのアドレスを登録することができる。また、測定器のＩＤについては、転送装置を使用する場合には転送装置のＩＤを登録するようにしてもよく、利用者の電話番号を使用するようにしてもよい。
【００６２】
その後、利用者はデータセンタを運営するデータ収集事業者のホームページから情報収集用のアプリをダウンロードし（ステップＳ１０４）、利用者の準備は終了する。
【００６３】
また、利用制限を申し込む場合は（ｂ）に示すように、利用者は量販店等で測定器１を購入し（ステップＳ１１１）、測定器１に同梱された説明書に従って端末３からサービスプロバイダのホームページを開き、自己への連絡先としてのメールアドレスまたは電話番号を登録し（ステップＳ１１２）、測定器のＩＤについては説明書に付されたＱＲコード等の２次元コードを端末３の読取機能を使って入力する（ステップＳ１１３）。
【００６４】
次いで、ホームページ上のフォームに従って利用制限の申し込みにチェックを行い（ステップＳ１１４）、希望する確認用のＩＤとパスワードを入力する（ステップＳ１１５）。この際、入力されたＩＤとパスワードが既に割り当てられたものと同じであるか否かが判断され（ステップＳ１１６）、重複する場合には再入力する。重複がなければ利用制限の申し込みは終了する（ステップＳ１１７）。なお、匿名の申し込みでない場合には、サービスプロバイダにて確認用のＩＤとパスワードを決定し、郵送にて利用者に通知するようにすることができる。
【００６５】
その後、利用者はデータセンタを運営するデータ収集事業者のホームページから情報収集用のアプリをダウンロードし（ステップＳ１１８）、利用者の準備は終了する。
【００６６】
次に、図７において、データセンタ６では次のような事前登録を行う。すなわち、サービスプロバイダから測定器のＩＤ等の利用者を識別するＩＤを受け付け（ステップＳ２０１）、データ蓄積・振分サーバ６２のＩＤ管理データベース６２２に登録する（ステップＳ２０２）。
【００６７】
次いで、利用制限を申し込んでいるか否かにより（ステップＳ２０３）、申し込んでいる場合には、データ蓄積・振分サーバ６２の利用制限管理データベース６２３にＩＤ、メールアドレス、電話番号等を登録する（ステップＳ２０４）。次いで、データ収集事業者は直ちにメールまたは電話によりパスワードの変更を行うように利用者に通知し（ステップＳ２０５）、利用者はこれに応じてパスワードの変更を行う。
【００６８】
次に、図８および図９のフローチャートに沿ってデータセンタ６における処理を説明する。
【００６９】
先ず、端末３からアプリにより測定値等が送信されると（ステップＳ３０１）、ＩＤが登録されているか否かを確認し（ステップＳ３０２、Ｓ３０３）、一致しない場合は端末３のアプリを介してＩＤが登録されていない旨を通知し（ステップＳ３０４）、受信したデータについては一定期間保管した後に消去し（ステップＳ３０５）、処理を終了する。
【００７０】
ＩＤが一致した場合（ステップＳ３０３のＹｅｓ）には、端末３のアプリを介してデータの受信完了を通知する（ステップＳ３０６）。
【００７１】
次いで、利用制限を申し込んだ利用者か否かを判断し（ステップＳ３０７）、利用制限を申し込んでいない場合は、ＩＤに対応するサービスプロバイダの格納領域に蓄積し（ステップＳ３０８）、サービスプロバイダへ向けてデータを送信する（ステップＳ３０９）。なお、サービスプロバイダ側からデータセンタ６にアクセスして自己の格納領域に蓄積されたデータを取得するようにしてもよい。測定値等のデータを取得したサービスプロバイダでは、各自の創意工夫による健康支援サービス等を利用者に対して提供し（ステップＳ３１０）、処理を終了する。
【００７２】
一方、利用制限を申し込んだ利用者である場合には、測定値等を一時的に保管する（ステップＳ３１１）。なお、利用制限利用者用の蓄積サーバを専用に設け、そこに保管するようにしてもよい。
【００７３】
次いで、利用制限を申し込んだ利用者への連絡方法がメールか電話のいずれであるかをメールアドレスが登録されているか電話番号が登録されているかにより判断し（ステップＳ３１２）、メールの場合はメールにより利用者にＵＲＬを通知し（ステップＳ３１３）、接続できたか否か確認した後（ステップＳ３１４）、利用者がＵＲＬからホームページを開いてＩＤ、パスワードを入力するのを待つ（ステップＳ３１５）。
【００７４】
次いで、正しいＩＤ、パスワードかを確認し（ステップＳ３１６）、本人であることが確認された場合には、利用者による測定値等の確認を待ち（ステップＳ３１７）、回答があるかを確認し（ステップＳ３１８）、回答があった場合にはサービスプロバイダに送信するか否かを確認し（ステップＳ３１９）、承諾が得られればサービスプロバイダの格納領域への蓄積（ステップＳ３０８）に移行する。
【００７５】
また、電話の場合は利用者に自動的に電話をかけ（ステップＳ３２０）、接続できたか否か確認した後（ステップＳ３２１）、利用者のダイヤル操作によるＩＤ、パスワードの入力を待つ（ステップＳ３２２）。
【００７６】
次いで、正しいＩＤ、パスワードかを確認し（ステップＳ３２３）、本人であることが確認された場合には、利用者による測定値等の確認を待ち（ステップＳ３２４）、回答があるかを確認し（ステップＳ３２５）、回答があった場合にはサービスプロバイダに送信するか否かを確認し（ステップＳ３２６）、承諾が得られればサービスプロバイダの格納領域への蓄積（ステップＳ３０８）に移行する。
【００７７】
一方、サービスプロバイダに送信しないとされた場合（ステップＳ３１９、Ｓ３２６のＮｏ）は、当該利用者の測定値等のデータをサーバから削除し（ステップＳ３２７）、処理を終了する。
【００７８】
また、メールもしくは電話の接続ができなかった場合（ステップＳ３１４、Ｓ３２１のＮｏ）、ＩＤ、パスワードが正しくなかった場合（ステップＳ３１６、Ｓ３２３のＮｏ）、回答がなかった場合（ステップＳ３１８、Ｓ３２５のＮｏ）は、データ収集事業者からサービスプロバイダにその旨を通知し（ステップＳ３２８）、サービスプロバイダがお客様である利用者と対応をとり（ステップＳ３２９）、異常の原因が修正可能かどうか確認した後（ステップＳ３３０）、修正されればメールもしくは電話による確認（ステップＳ３１２）に戻る。修正が不可能であれば、サービスプロバイダに対応を委ね（ステップＳ３３１）、処理を終了する。
【００７９】
次に、図１０のフローチャートに沿って測定器１における処理を説明する。
【００８０】
先ず、測定器１のスイッチがＯＮされ（ステップＳ４０１）、家族共用のように複数の者が使用する機能を有している場合には測定する人に対応するボタンが押下されると（ステップＳ４０２）、測定器１内に蓄積された未送信データが蓄積可能容量以下か否かを判断し（ステップＳ４０３）、超えていない場合には測定を開始する（ステップＳ４０９）。超えている場合には「未送信データが蓄積可能容量を超えたので送信して下さい」というメッセージを表示し（ステップＳ４０４）、データを送信するか否かを確認し（ステップＳ４０５）、送信しない場合には「古いデータが消去されます」というメッセージを表示する（ステップＳ４０６）。次いで、データを消去するか否かを確認し（ステップＳ４０７）、消去する場合には測定を開始し（ステップＳ４０９）、消去しない場合には、測定を止めるか否かを確認し（ステップＳ４０８）、止めない場合には古いデータが消去される旨のメッセージの表示（ステップＳ４０６）に戻り、止める場合には、測定器１のスイッチのＯＦＦを待ち（ステップＳ４２１）、処理を終了する。
【００８１】
測定を開始すると（ステップＳ４０９）、測定値、計測者、計測時間を表示し（ステップＳ４１０）、この内容で問題ないか確認し（ステップＳ４１１）、問題があれば測定開始（ステップＳ４０９）に戻り、問題がなければ測定値、計測者、計測時間を蓄積する（ステップＳ４１２）。
【００８２】
次いで、測定値等を蓄積（ステップＳ４１２）した後もしくは未送信のデータを送信する場合（ステップＳ４０５のＹｅｓ）、未送信データを表示し（ステップＳ４１３）、表示したデータから送信するデータを選択するか否か確認し（ステップＳ４１４）、選択する場合には送信データの選択を行わせ（ステップＳ４１５）、選択しない場合は全てのデータを対象として、送信対象データを表示し（ステップＳ４１６）、端末３のアプリの起動を待つ（ステップＳ４１７）。
【００８３】
次いで、端末３のアプリが起動した後にデータ転送ボタンを押下されると（ステップＳ４１８）、データを端末３に転送し、転送の済んだデータを消去する（ステップＳ４１９）。なお、転送の済んだデータの消去は、即座に行う場合と、一定時間経過後に行う場合と、利用者の確認を待って行う場合とがある。
【００８４】
次いで、継続して測定を行うか否か確認し（ステップＳ４２０）、測定する場合には測定開始（ステップＳ４０９）に戻り、測定しない場合には測定器１のスイッチのＯＦＦを待ち（ステップＳ４２１）、処理を終了する。
【００８５】
次に、図１１のフローチャートに沿って転送装置２における処理を説明する。なお、測定器１から端末３に直接にデータ転送する場合には転送装置２は不要である。
【００８６】
先ず、転送装置２のスイッチがＯＮされ（ステップＳ５０１）、測定器１の転送ボタンが押下されると（ステップＳ５０２）、測定器１が受信要求信号を発信し（ステップＳ５０３）、転送装置２の転送受信機能が自動的に起動する（ステップＳ５０４）。
【００８７】
次いで、転送装置２内に蓄積された未送信データが蓄積可能容量以下か否かを判断し（ステップＳ５０５）、超えていない場合には測定器１から転送装置２に転送を開始する（ステップＳ５１１）。超えている場合には「未送信データが蓄積可能容量を超えたので送信して下さい」というメッセージを表示し（ステップＳ５０６）、データを送信するか否かを確認し（ステップＳ５０７）、送信しない場合には「古いデータが消去されます」というメッセージを表示する（ステップＳ５０８）。次いで、データを消去するか否かを確認し（ステップＳ５０９）、消去する場合には転送を開始し（ステップＳ５１１）、消去しない場合には、転送を止めるか否かを確認し（ステップＳ５１０）、止めない場合には古いデータが消去される旨のメッセージの表示（ステップＳ５０８）に戻り、止める場合には、転送装置２のスイッチのＯＦＦを待ち（ステップＳ５２２）、処理を終了する。
【００８８】
転送を開始すると（ステップＳ５１１）、転送されたデータを表示し（ステップＳ５１２）、正常に転送できたか確認し（ステップＳ５１３）、正常に転送できていない場合には測定器１の転送ボタンの押下（ステップＳ５０２）に戻り、正常に転送できた場合には転送されたデータを蓄積する（ステップＳ５１４）。
【００８９】
次いで、転送データを蓄積（ステップＳ５１４）した後もしくは未送信のデータを送信する場合（ステップＳ５０７のＹｅｓ）、未送信データを表示し（ステップＳ５１５）、表示したデータから送信するデータを選択するか否か確認し（ステップＳ５１６）、選択する場合には送信データの選択を行わせ（ステップＳ５１７）、選択しない場合は全てのデータを対象として、送信対象データを表示し（ステップＳ５１８）、端末３のアプリの起動を待つ（ステップＳ５１９）。
【００９０】
次いで、端末３のアプリが起動した後にデータ転送ボタンが押下されると（ステップＳ５２０）、データを端末３に転送し（ステップＳ５２１）、転送装置２のスイッチのＯＦＦを待ち（ステップＳ５２２）、処理を終了する。
【００９１】
次に、図１２のフローチャートに沿って端末３における処理を説明する。
【００９２】
先ず、端末３のスイッチがＯＮされた後（ステップＳ６０１）、アプリを起動して測定器１等からの通信の待ち受け状態となり（ステップＳ６０２）、測定器１等の転送開始ボタンが押下されると（ステップＳ６０３）、測定器１等から端末３にデータの転送を開始する（ステップＳ６０４）。そして、データの転送が正常に行えたか否か判断し（ステップＳ６０５）、正常に行えていない場合は転送開始ボタンの押下（ステップＳ６０３）に戻る。
【００９３】
データの転送が正常に行えた場合は、転送されたデータを表示し（ステップＳ６０６）、表示したデータから送信するデータを選択するか否か確認し（ステップＳ６０７）、選択する場合には送信データの選択を行わせ（ステップＳ６０８）、選択しない場合は全てのデータを対象として、送信対象データを表示する（ステップＳ６０９）。
【００９４】
そして、データ転送ボタンが押下されると（ステップＳ６１０）、データをデータセンタ６に転送し（ステップＳ６１１）、必要に応じて端末３のスイッチをＯＦＦし（ステップＳ６１２）、処理を終了する。
【００９５】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００９６】
【図１】本発明の一実施形態にかかるバイタルデータ収集システムの構成図である。
【図２】バイタルデータ収集システムの適用例を示す図（その１）である。
【図３】バイタルデータ収集システムの適用例を示す図（その２）である。
【図４】バイタルデータ収集システムの適用例を示す図（その３）である。
【図５】利用者のＩＤをデータセンタで決定する場合の処理概要を示すシーケンス図である。
【図６】利用者の準備の処理を示すフローチャートである。
【図７】データセンタにおける事前登録の処理を示すフローチャートである。
【図８】データセンタにおける処理を示すフローチャート（その１）である。
【図９】データセンタにおける処理を示すフローチャート（その２）である。
【図１０】測定器における処理を示すフローチャートである。
【図１１】転送装置における処理を示すフローチャートである。
【図１２】端末における処理を示すフローチャートである。
【符号の説明】
【００９７】
１、１１〜１５    測定器
２                転送装置
３、３１〜３５    端末
４                無線ネットワーク
５                ネットワーク
６                データセンタ
６１              受信サーバ
６２              データ蓄積・振分サーバ
６２１            測定値管理データベース
６２２            ＩＤ管理データベース
６２３            利用制限管理データベース
６３              サービスプロバイダ別格納サーバ
６３１〜６３３    格納領域
６４              送信サーバ
７、７１〜７３    コンテンツサーバ
【図１】
2006048404.tif 000003
【図２】
2006048404.tif 000004
【図３】
2006048404.tif 000005
【図４】
2006048404.tif 000006
【図５】
2006048404.tif 000007
【図６】
2006048404.tif 000008
【図７】
2006048404.tif 000009
【図８】
2006048404.tif 000010
【図９】
2006048404.tif 000011
【図１０】
2006048404.tif 000012
【図１１】
2006048404.tif 000013
【図１２】
2006048404.tif 000014